(57)【要約】【課題】長時間にわたって４−ヒドロキシ−６−メチル−３−（４−メチルペンタノイル）−２−ピロンが効果を発揮する消臭方法を提供すること。【解決手段】下記消臭液中に、多孔質吸液芯の一部を浸漬して、該芯に前記消臭液を吸液させ、該芯の非浸漬部を加熱することにより吸液された前記消臭液を蒸散させる消臭方法。消臭液：沸点１８０〜３１０℃の飽和炭化水素溶剤に４−ヒドロキシ−６−メチル−３−（４−メチルペンタノイル）−２−ピロンが含有されてなり、４−ヒドロキシ−６−メチル−３−（４−メチルペンタノイル）−２−ピロンの含量が消臭液全量に対して０．１〜２０重量％である消臭液。【選択図】  なし【特許請求の範囲】
【請求項１】
下記消臭液中に、多孔質吸液芯の一部を浸漬して、該芯に前記消臭液を吸液させ、該芯の非浸漬部を加熱することにより吸液された前記消臭液を蒸散させる消臭方法。
消臭液：沸点１８０〜３１０℃の飽和炭化水素溶剤に式（１）
2005013380.tif 000004
で示される４−ヒドロキシ−６−メチル−３−（４−メチルペンタノイル）−２−ピロンが含有されてなり、４−ヒドロキシ−６−メチル−３−（４−メチルペンタノイル）−２−ピロンの含量が消臭液全量に対して０．１〜２０重量％である消臭液。
【請求項２】
加熱温度が８０〜３００℃である請求項１記載の消臭方法。
【請求項３】
沸点１８０〜３１０℃の飽和炭化水素溶剤に４−ヒドロキシ−６−メチル−３−（４−メチルペンタノイル）−２−ピロンが含有されてなる消臭液であって、４−ヒドロキシ−６−メチル−３−（４−メチルペンタノイル）−２−ピロンの含量が該消臭液全量に対して０．１〜２０重量％である消臭液。
【請求項４】
請求項３記載の消臭液の加熱蒸散用消臭剤としての使用。
【発明の詳細な説明】
【０００１】
【発明の属する技術分野】
本発明は、消臭方法及びそれに用いる消臭液に関する。
【０００２】
【従来の技術】
４−ヒドロキシ−６−メチル−３−（４−メチルペンタノイル）−２−ピロンが消臭組成物の有効成分として知られている（例えば特許文献１）。
【０００３】
【特許文献１】
特開２００２−２０９９９３号公報
【０００４】
【発明が解決しようとする課題】
本発明は、長時間にわたって４−ヒドロキシ−６−メチル−３−（４−メチルペンタノイル）−２−ピロンが効果を発揮する消臭方法を提供することを課題とする。
【０００５】
【課題を解決するための手段】
本発明者は、長時間にわたって４−ヒドロキシ−６−メチル−３−（４−メチルペンタノイル）−２−ピロンが効果を発揮する消臭方法を提供することを目的として鋭意検討した結果、本発明を完成した。
【０００６】
本発明は以下のものである。
１．下記消臭液中に、多孔質吸液芯の一部を浸漬して、該芯に前記消臭液を吸液させ、該芯の非浸漬部を加熱することにより吸液された前記消臭液を蒸散させる消臭方法。
消臭液：沸点１８０〜３１０℃の飽和炭化水素溶剤に式（１）
2005013380.tif 000002
で示される４−ヒドロキシ−６−メチル−３−（４−メチルペンタノイル）−２−ピロンが含有されてなり、４−ヒドロキシ−６−メチル−３−（４−メチルペンタノイル）−２−ピロンの含量が消臭液全量に対して０．１〜２０重量％である消臭液。
２．加熱温度が８０〜３００℃である１．記載の消臭方法。
３．沸点１８０〜３１０℃の飽和炭化水素溶剤に４−ヒドロキシ−６−メチル−３−（４−メチルペンタノイル）−２−ピロンが含有されてなる消臭液であって、４−ヒドロキシ−６−メチル−３−（４−メチルペンタノイル）−２−ピロンの含量が該消臭液全量に対して０．１〜２０重量％である消臭液。
４．３．記載の消臭液の加熱蒸散用消臭剤としての使用。
【０００７】
【発明の実施の形態】
本発明に用いられる４−ヒドロキシ−６−メチル−３−（４−メチルペンタノイル）−２−ピロンは、例えば特開２００２−２０９９９３号公報（特許文献１）に記載された化合物であり、該公報に記載された方法で製造することができる。
【０００８】
本発明に用いられる沸点１８０〜３１０℃の飽和炭化水素溶剤としては、例えば沸点１８０〜３１０℃のパラフィン系飽和炭化水素溶剤が挙げられ、具体的には例えば０号ソルベントＨ（日本石油株式会社製、沸点２１９〜２４７℃）、０号ソルベントＬ（日本石油株式会社製、沸点１８２〜２１２℃）、ＩＰソルベント２０２８（出光石油化学株式会社製、沸点２１３〜２６２℃）、ノルパー１２（エクソン化学株式会社製、沸点１８８〜２１９℃）、ノルパー１３（エクソン化学株式会社製、沸点２２６〜２４３℃）、ノルパー１５（エクソン化学株式会社製、沸点２５２〜２７６℃）、アイソパーＭ（エクソン化学株式会社製、沸点２０７〜２５６℃）、アイソパーＬ（エクソン化学株式会社製、沸点１９０〜２０７℃）、アイソパーＶ（エクソン化学株式会社製、沸点２７８〜３０５℃）、エクソールＤ８０（エクソン化学株式会社製、沸点２０１〜２４５℃）、エクソールＤ１１０（エクソン化学株式会社製、沸点２４３〜２５６℃）、及びエクソールＤ１３０（エクソン化学株式会社製、沸点２８１〜３０７℃）が挙げられる。
【０００９】
本発明の消臭液は、沸点１８０〜３１０℃の飽和炭化水素溶剤に４−ヒドロキシ−６−メチル−３−（４−メチルペンタノイル）−２−ピロンが含有されてなる消臭液であって、４−ヒドロキシ−６−メチル−３−（４−メチルペンタノイル）−２−ピロンの含量が該消臭液全量に対して０．１〜２０重量％含有されている。
本発明の消臭液には、沸点１８０〜３１０℃の飽和炭化水素溶剤は、該消臭液全量に対して、通常５０〜９９．９重量％、好ましくは８０〜９９．９重量％含有される。
【００１０】
本発明の消臭液には必要に応じて他の溶剤、酸化防止剤、安定剤、香料、害虫防除性化合物、防カビ剤、他の消臭剤等が含有されていてもよい。
【００１１】
この場合の他の溶剤としては、例えばメタノール、エタノール、プロパノール、イソプロピルアルコール、アミルアルコール等の炭素数が１〜６の１価アルコール；グリセリン、ブチルジグリコール、エチレングリコール、プロピレングリコール等の炭素数が２〜６の多価アルコール；及びエチレングリコールモノブチルエーテル、エチレングリコールモノエチルエーテル、ジエチレングリコールモノブチルエーテル、ジエチレングリコールモノエチルエーテル、プロピレングリコールモノブチルエーテル、ジプロピレングリコールモノブチルエーテル等のグリコールアルキルエーテルが挙げられる。本発明の消臭液中には、これらの溶剤が本発明の消臭液全量に対して、通常２０重量％以下の量が含有される。
【００１２】
酸化防止剤としては、例えば２，６−ジ−ｔｅｒｔ−ブチル−４−メチルフェノール、２，６−ジ−ｔｅｒｔ−ブチル−４−メトキシフェノール、４，４’−ブチリデンビス（３−メチル−６−ｔｅｒｔ−ブチルフェノール）、３，９−ビス［２−［３−（３−ｔｅｒｔ−ブチル−４−ヒドロキシ−５−メチルフェニル）−プロピオニオロキシ］−１，１−ジメチルエチル］−２，４，８，１０−テトラオキザスピロ［５・５］ウンデカン等のフェノール系酸化防止剤が挙げられる。本発明の消臭液中には、酸化防止剤が本発明の消臭液全量に対して、通常０．０１〜５重量％含有される。
【００１３】
安定剤としては、例えばパラヒドロキシ安息香酸メチル、パラヒドロキシ安息香酸エチル、パラヒドロキシ安息香酸プロピル、パラヒドロキシ安息香酸イソプロピル、パラヒドロキシ安息香酸ブチル等のパラヒドロキシ安息香酸エステルが挙げられる。本発明の消臭液中には、安定化剤が本発明の消臭液全量に対して、通常０．０１〜５重量％含有される。
【００１４】
香料としては、例えばペパーミント、ハッカ、ヒノキ、ヒバ、パイン、ラベンダー、パチョリ、ユーカリ、シトロネラ、ライム、タイム、ヒソップ、ローズマリー、ティツリー、マヌカ、イランイラン、クローブ、ベイ、セージ等の植物精油、サリチル酸メチル、フェノキシエタノール、リナロール、シネオール、シトロネオール、シトロネラール、オイゲノール、メントール、メントン等の天然香料、及び合成香料が挙げられる。本発明の消臭液中には、香料が本発明の消臭液全量に対して、通常５重量％以下の量が含有される。
【００１５】
害虫防除性化合物としては、例えば２−メチル−３−アリル−４−オキソ−２−シクロペンテン−１−イル  ３−（２−メチル−１−プロペニル）−２，２−ジメチルシクロプロパンカルボキシラート、２−メチル−３−プロパルギル−４−オキソ−２−シクロペンテン−１−イル  ３−（２−メチル−１−プロペニル）−２，２−ジメチルシクロプロパンカルボキシラート、１−エチニル−２−メチル−２−ペンテニル  ３−（２−メチル−１−プロペニル）−２，２−ジメチルシクロプロパンカルボキシラート、５−プロパルギル−２−フルフリル  ３−（２−メチル−１−プロペニル）−２，２−ジメチルシクロプロパンカルボキシラート、３−（２−クロロ−２−フルオロビニル）−２，２−ジメチルシクロプロパン−１−カルボキシラート、１−エチニル−２−メチル−２−ペンテニル  ３−（２−クロロ−２−フルオロビニル）−２，２−ジメチルシクロプロパン−１−カルボキシラート、２，３，５，６−テトラフルオロ−４−メチルベンジル３−（２，２−ジクロロビニル）−２，２−ジメチルシクロプロパンカルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、２−メチル−３−アリル−４−オキソ−２−シクロペンテン−１−イル  ２，２，３，３−テトラメチルシクロプロパンカルボキシラート、２，３，５，６−テトラフルオロ−４−メトキシルベンジル  ３−（２，２−ジクロロビニル）−２，２−ジメチルシクロプロパンカルボキシラート、２，３，５，６−テトラフルオロ−４−メトキシルベンジル  ３−（１−プロペニル）−２，２−ジメチルシクロプロパンカルボキシラート、２，３，５，６−テトラフルオロベンジル  ３−（２，２−ジクロロビニル）−２，２−ジメチルシクロプロパンカルボキシラート、２，３，５，６−テトラフルオロ−４−メトキシルベンジル  ３−（２−メチル−１−プロペニル）−２，２−ジメチルシクロプロパンカルボキシラート、２，３，５，６−テトラフルオロ−４−メトキシベンジル  ３−メトキシイミノメチル−２，２−ジメチルシクロプロパンカルボキシラート、及び天然ピレトリン等のピレスロイド系殺虫性化合物が挙げられる。これらの化合物には、シクロプロパン環、及び二重結合に基づく異性体が存在する場合があるが、この場合は活性な任意の異性体を使用することができる。
本発明の消臭液中には、害虫防除性化合物が本発明の消臭液全量に対して、通常１０重量％以下の量が含有される。
【００１６】
防カビ剤としては、例えばヒノキチオール、３−メチル−４−イソプロピルフェノール、チモール、及びカルバクロールが挙げられ、他の消臭剤としては例えばメタクリル酸ラウリルが挙げられる。
【００１７】
本発明の消臭液は、例えば沸点１８０〜３１０℃の飽和炭化水素溶剤、４−ヒドロキシ−６−メチル−３−（４−メチルペンタノイル）−２−ピロン、必要に応じて他の溶剤、酸化防止剤、安定剤、香料、他の害虫防除性化合物、防カビ剤、他の消臭剤等を混合することにより製造することができる。
【００１８】
本発明の消臭方法は、通常、本発明の消臭液中に、多孔質吸液芯の一部（通常は下部）を浸漬して、該芯に前記消臭液を吸液させ、該芯の非浸漬部（通常は上部）をヒータ等により間接加熱することにより吸液された前記消臭液を、悪臭の発生場所又は悪臭が漂う場所で、蒸散させることにより行われる。
この場合の加熱温度は、ヒータの表面温度が通常８０〜３００℃、好ましくは１００〜２００℃である。
【００１９】
本発明の消臭液は、例えば特公平２−２５８８５号公報等に記載された加熱蒸散装置に組み込むことにより本発明の消臭方法に適用することができる。該加熱蒸散装置において使用される多孔質吸液芯の材質としては、例えば本発明の加熱蒸散用消臭液を吸液し、かつヒータ等による加熱に耐え得る多孔質の無機物粘結体や焼結体が挙げられる。
【００２０】
４−ヒドロキシ−６−メチル−３−（４−メチルペンタノイル）−２−ピロンは、有害節足動物防除活性、抗菌活性をも有するため、本発明の消臭方法を有害生物の生息場所で行うことで有害生物の防除も達成することができ、また本発明の消臭方法をカビや細菌等の微生物の生息場所で行うことで微生物の防除も達成することもできる。
【００２１】
この場合に防除できる有害節足動物としては、例えば蚊、ハエが挙げられる。
また、この場合に防除できる微生物としては、例えば以下のものが挙げられる。
Ａｓｐｅｒｇｉｌｌｕｓ  ｎｉｇｅｒ等のＡｓｐｅｒｇｉｌｌｕｓ属、Ｃｈａｅｔｏｎｉｕｍ  ｇｌｏｂｏｓｕｍ等のＣｈａｅｔｏｍｉｕｍ属、Ｃｌａｄｏｓｐｏｒｉｕｍ  ｃｌａｄｏｓｐｏｒｉｏｉｄｅｓ等のＣｌａｄｏｓｐｏｒｉｕｍ属、Ｇｌｉｏｃｌａｄｉｕｍ  ｖｉｒｅｎｓ等のＧｌｉｏｃｌａｄｉｕｍ属、Ａｕｒｅｏｂａｓｉｄｉｕｍ  ｐｕｌｌｕｌａｎｓ等のＡｕｒｅｏｂａｓｉｄｉｕｍ属、Ｐｅｎｉｃｉｌｌｉｕｍ  ｆｕｎｉｃｕｌｏｓｕｍ等のＰｅｎｉｃｉｌｌｉｕｍ属、Ｒｈｉｚｏｐｕｓ  ｏｒｙｚａｅ等のＲｈｉｚｏｐｕｓ属、Ｆｕｓａｒｉｕｍ属、Ａｌｔｅｒｎａｒｉａ属、Ｔｙｒｏｍｙｃｅｓ属、Ｃｏｒｉｏｌｕｓ属、Ｍｙｒｏｔｈｅｃｉｕｍ属、Ｍｕｃｏｒ属、Ｅｐｉｃｏｃｃｕｍ属、Ｔｒｉｃｈｏｄｅｒｍａ属、Ｐｈｏｍａ属、Ｇｅｏｔｒｉｃｈｕｍ属、Ｍｏｎｉｌｉａ属等の糸状菌；Ｓａｃｃｈａｒｏｍｙｃｅｓ属などの酵母；Ｂａｃｉｌｌｕｓ属、Ｅｓｃｈｅｒｉｃｈｉａ属、Ｐｓｅｕｄｏｍｏｎａｓ属などの細菌。
【００２２】
【実施例】
以下、製造例等により本発明をさらに詳しく説明するが、本発明はこれらの例に限定されるものではない。
【００２３】
まず、本発明の消臭液の製造について、製造例を示す。
製剤例１
４−ヒドロキシ−６−メチル−３−（４−メチルペンタノイル）−２−ピロン（以下、本化合物と記す。）１．０ｇとノルパー１３（エクソン化学株式会社製）３４．０ｇとを混合して、本発明の消臭液を得た。
製剤例２
本化合物２．０ｇとノルパー１３（エクソン化学株式会社製）３３．０ｇとを混合して、本発明の消臭液を得た。
製剤例３
本化合物５．０ｇとノルパー１３（エクソン化学株式会社製）３０．０ｇとを混合して、本発明の消臭液を得た。
【００２４】
製剤例４
本化合物１．０ｇとアイソパーＭ（エクソン化学株式会社製）３４．０ｇとを混合して、本発明の消臭液を得た。
製剤例５
本化合物２．０ｇとアイソパーＭ（エクソン化学株式会社製）３３．０ｇとを混合して、本発明の消臭液を得た。
製剤例６
本化合物５．０ｇとアイソパーＭ（エクソン化学株式会社製）３０．０ｇとを混合して、本発明の消臭液を得た。
【００２５】
製剤例７
本化合物１．０ｇとノルパー１５（エクソン化学株式会社製）３４．０ｇとを混合して、本発明の消臭液を得る。
製剤例８
本化合物２．０ｇとノルパー１５（エクソン化学株式会社製）３３．０ｇとを混合して、本発明の消臭液を得る。
製剤例９
本化合物５．０ｇとノルパー１５（エクソン化学株式会社製）３０．０ｇとを混合して、本発明の消臭液を得る。
【００２６】
製剤例１０
本化合物１．０ｇと０号ソルベントＨ（日本石油株式会社製）３３．５ｇとを混合して、本発明の消臭液を得る。
製剤例１１
本化合物２．０ｇと０号ソルベントＨ（日本石油株式会社製）３２．５ｇとを混合して、本発明の消臭液を得る。
製剤例１２
本化合物５．０ｇと０号ソルベントＨ（日本石油株式会社製）２９．５ｇとを混合して、本発明の消臭液を得る。
【００２７】
試験例１
製造例１で得られた本発明の消臭液４５ｍｌを、５０ｍｌ容器に入れ、無機多孔質材質の吸液芯を取り付けた。この容器を図１に示される加熱蒸散装置に組み込み、吸液芯上部をヒータで間接加熱して本発明の消臭液を蒸散できるようにした。
３０％アンモニア水５ｍｌを直径１５ｃｍのシャーレに入れ、このシャーレを５．８ｍ３（１．８ｍ×１．８ｍ×１．８ｍ）の室内に室温で２時間放置した。その後、該室内のアンモニア濃度をガス検知管（ガステック社製Ｎｏ．３Ｌａ）で測定したところ１００ｐｐｍであり、強いアンモニア臭を感じた。
該室内からアンモニア水入りのシャーレを取り除き、代わりに前記の加熱蒸散装置を置き、ヒータ表面温度１２０〜１３０℃にして２４時間放置した。
その後、該室内のアンモニア濃度をガス検知管（ガステック社製Ｎｏ．３Ｌａ）にて測定したところ１２ｐｐｍであり、アンモニア臭はほとんど感じられなかった。
【００２８】
試験例２
製造例１で得られた本発明の消臭液４５ｍｌを、５０ｍｌ容器に入れ、無機多孔質材質の吸液芯を取り付けた。この容器を図１に示される加熱蒸散装置に組み込み、吸液芯上部をヒータで間接加熱して本発明の消臭液を蒸散できるようにした。この加熱蒸散装置のヒータ表面温度を１２０〜１３０℃にして２００時間放置した。
一方、０．１％アンモニア水２．５ｍｌを直径１０ｃｍのシャーレに入れ、このシャーレを５Ｌのデシケータ内に置き、室温で２時間放置した。その後、該デシカータのアンモニア濃度をガス検知管（ガステック社製Ｎｏ．３Ｌａ）で測定したところ３０ｐｐｍであり、アンモニア臭を感じた。
その後、該デシケータからアンモニア水入りのシャーレを取り除き、代わりに前記２００時間稼動させた後の加熱蒸散装置を置き、デシケータの蓋をしてから、ヒータ表面温度１２０〜１３０℃にして２４時間放置した。
その後、該デシケータ内のアンモニア濃度をガス検知管（ガステック社製Ｎｏ．３Ｌａ）にて測定したところ１．６ｐｐｍであり、アンモニア臭はほとんど感じられなかった。
【００２９】
参考例
製造例１で得られた本発明の消臭液４５ｍｌを、５０ｍｌ容器に入れ、無機多孔質材質の吸液芯を取り付けた。この容器を図１に示される加熱蒸散装置に組み込み、吸液芯上部をヒータで間接加熱して本発明の消臭液を蒸散できるようにした。
容積５Ｌのデシケータ内部の側面と蓋に直径７ｃｍの濾紙を貼り付けた。デシケータ内に前記の加熱蒸散装置を置き、ヒータ表面温度１２０〜１３０℃にして２５５時間放置した。
その後、デシケータ内の濾紙を回収し、この濾紙を寒天培地上に載せて供試菌の胞子懸濁液を接種し、２７℃で１０日間放置した。その後、濾紙上に繁殖した各供試菌の生育状況を観察した。結果を表１に示す。
【００３０】
【表１】
2005013380.tif 000003
◎：供試菌の生育が全くなし。
○：接種部位付近のみに僅かに供試菌の生育している。
△：供試菌の生育が多い。
×：供試菌が著しく生育している。
【００３１】
ＡＰ：Ａｕｒｅｏｂａｓｉｄｉｕｍ  ｐｕｌｌｕｌａｎｓ
ＣｌｃＣｌａｄｏｓｐｏｒｉｕｍ  ｃｌａｄｏｓｐｏｒｉｏｉｄｅｓ
Ｐｆ：Ｐｅｎｉｃｉｌｌｉｕｍ  ｆｕｎｉｃｌｏｓｕｍ
Ｓａｃ：Ｓａｃｃｈａｒｏｍｙｃｅｓ  ｃｅｒｅｖｉｓｉａｅ
【００３２】
【発明の効果】
本発明の消臭方法では、４−ヒドロキシ−６−メチル−３−（４−メチルペンタノイル）−２−ピロンが長時間にわたって消臭効果を発揮する。
【図面の簡単な説明】
【図１】本発明の消臭方法に適用される装置の一例の断面図
【符号の説明】
１…消臭液
２…ヒータ
３…吸液芯
４…消臭液を入れる容器
【図１】
2005013380.tif 000005